(57)【要約】【課題】スタジアムやアウトドアにおいて、ビールやジュース等を入れた紙製とか軟質プラスチック製のコップを首に吊下げるために使用する紙コップ等の吊下げ具を提供する。【解決手段】吊下げ用の帯部と、その中間部に設けたコップ保持部とを、伸縮性の無い軟質素材を打ち抜いて一体的に形成すると共に、前記帯部の両端に、互いに嵌合する連結部を設けたものであり、コップ保持部にコップを嵌合し、両端を連結した帯部を首に掛けて使用する。【選択図】　　　図１
2004026247.tif 000002
【特許請求の範囲】
【請求項１】
吊下げ用の帯部と、その中間部に設けたリング状のコップ保持部とを、伸縮性の無い軟質素材を打ち抜いて一体的に形成すると共に、前記帯部の両端に、互いに嵌合する連結部を設けたことを特徴とする紙コップ等の吊下げ具。
【請求項２】
吊下げ用の帯部と、その中間部のスリットにより左右に分割されたコップ保持部とを、伸縮性の無い軟質素材を打ち抜いて一体的に形成すると共に、前記帯部の両端に連結部を設けたことを特徴とする紙コップ等の吊下げ具。
【発明の詳細な説明】
【０００１】
【発明の属する技術分野】
本発明は、ビールやジュース等を入れたコップを首に吊下げるために使用する紙コップ等の吊下げ具に関するものである。
【０００２】
【従来の技術】
スタジアムにおいて、ビールやジュースが入った紙コップを持ち、スポーツを観戦する場合、この紙コップを置く場所が無いので、両手を使って応援することができないという不便があった。
【０００３】
実用新案登録第３０６５７８６号公報には、ペットボトルの頚部に嵌合するリング状の保持部を、弾性を有する硬質のプラスチックにより形成し、この保持部をボトルの頚部に嵌め込み、保持部の両側に設けた透孔に吊紐を取り付けたペットボトルの吊下げ具が開示されている。
【０００４】
このペットボトルの吊下げ具は、保持部の弾力を利用して、これをボトルの硬い頚部に開口端から強く嵌め込むことにより、飲料水の入ったボトルを首から吊下げて使用するものであるから、柔らかな紙コップや軟質のプラスチック製のコップには使用することができない。また、このペットボトルの吊下げ具は、保持部をプラスチックにより成形し、これに吊紐を取り付けてなるものであるから、安価に作製することができず、また保持部は弾力を利用してボトルの口部から頚部に嵌め込んで取り付けを行うため、着脱が面倒であった。更に、スタジアム内で、この吊下げ具をペットボトルから外し、これを振り回して応援するときは、保持部が硬質なために極めて危険であり、そのため、このような吊下げ具の会場内への持込を阻止されることがあった。
【０００５】
【発明が解決しようとする課題】
本発明は、上記ペットボトルの吊下げ具の問題点を考慮して開発したものであり、取り扱いが簡単で、振り回しても危険性がなく、しかも安価に作製することが可能な、紙製とか軟質プラスチック製のコップの吊下げ具を提供しようとするものである。
【０００６】
【課題を解決するための手段】
上記目的を達成するために、請求項１の発明に係る紙コップ等の吊下げ具は、吊下げ用の帯部と、その中間部に設けたリング状のコップ保持部とを、伸縮性の無い軟質素材を打ち抜いて一体的に形成すると共に、前記帯部の両端に、互いに嵌合する連結部を設けたしたことを特徴としている。
【０００７】
また、請求項２の紙コップ等の吊下げ具は、吊下げ用の帯部と、その中間部のスリットにより左右に分割されたコップ保持部とを、伸縮性の無い軟質素材を打ち抜いて一体的に形成すると共に、前記帯部の両端に連結部を設けたことを特徴としている。
【０００８】
本発明の紙コップ等の吊下げ具は、吊下げ用の帯部の中間部に設けたコップ保持部内にコップの下端を入れ、この保持具を引き上げて、コップの上端に形成されている鍔部の下側に嵌合した後、帯部の両端を連結部により連結し、リング状に繋がった帯部を首に掛け、手を使わないでコップを保持するものであるが、帯部、及び保持部は伸縮性の無い軟質素材により形成したため、保持部に支持したコップ内の飲料水等の重みによって帯部が伸びて揺動たり、保持部が伸張してコップが離脱することがない。
【０００９】
請求項２の発明は、スリットにより左右に分割されたコップ保持部を左右に広げ、その中にコップの下端を入れてコップの上部に引き上げ、首に吊下げるのである。
【００１０】
【発明の実施の形態】
図１〜図３を参照して本発明の実施の形態を説明する。図１は紙コップ等の吊下げ具の一部を省略した斜視図である。図２は同上吊下げ具における帯部の連結手段を示す平面図であり、図３は帯部の別の連結手段を示す平面図である。
【００１１】
符号１及び２は、伸縮性の無い軟質素材であるポリエステルフィルムを打ち抜いて一体的に形成した帯部とリング状のコップ保持部であり、このコップ保持部２は、帯部１の中間部に形成している。上記伸縮性の無い軟質素材としては、プラスチックフィルムの他、牛乳パックのように、紙にプラスチックをコーティングしたシートが最適である。また不織布製のシートも好ましい。
【００１２】
符号３及び４は、帯部１の一端に設けたスリット状の連結部と、帯部１の他端に設けた矢印状の連結部であり、帯部１及びコップ保持部２と同時に打ち抜きにより形成する。また符号５は紙コップであり、上端に鍔部６を設け、且つ開口端が底部より広くなるように、側壁を断面テーパー状に形成している。尚、符号７は紙コップ５の開口端に嵌合するプラスチック製の蓋であり、ナイロン製の紐８により、帯部１に連結している。この蓋７は帯部１に連結しない状態で使用しても良い。
【００１３】
上記のように構成された紙コップ５の吊下げ具を、例えばスタジアムの売店において積み重ね、リング状のコップ保持部２内に紙コップ５を挿入し、最上面の帯部１の両端を図２（１）のように対向させた後、図２（２）のように矢印状の連結部４をスリット状の連結部３内に差込み、図２（３）のように連結部同士を嵌合して帯部１の両端を連結し、これを首に掛け、両手を自由に使って競技を応援するのである。また、コップ５に蓋７をすれば、更に安心して使用できる。
【００１４】
上記図２の連結部３，４は、図３のように両方の連結部３，４を傾斜したスリットにより構成し、これを嵌合して帯部１を連結する場合もある。また連結部３及び４は、図２と図３の場合に限られるものではなく、打ち抜きによるものであれば良い。
【００１５】
図４に示す紙コップ等の吊下げ具は、別の実施形態を示す斜視図であり、伸縮性の無い軟質素材であるポリエステルフィルムを打ち抜いて、帯部１と、その中間部のコップ保持部２とを一体的に形成している。上記伸縮性の無い軟質素材には、プラスチックフィルムの他、紙にプラスチックをコーティングしたシートや、不織布製のシートが使用される。
【００１６】
上記コップ保持部２は、帯部１の長手方向のスリット２ａにより、左右に分割されてなるものであり、このコップ保持部２を左右に開いてリング状とし、その中に紙コップ等を入れて使用するのである。従って、この実施形態の場合は、前記実施形態と異なり、これを積み重ねた状態で、紙コップ等をコップ保持具内に挿入することはできないので、一枚ずつコップ保持部を開いてコップを入れるようにする。またこの場合は、軟質素材を打ち抜いて形成する際の歩留まりが極めて良好である。
【００１７】
【発明の効果】
本発明に係る紙コップ等の保持具は、以上説明したような形態で実施され、以下に記載する効果を奏する。
【００１８】
本発明は，コップ保持部にコップを保持させ、帯部の両端を連結して、リング状になった帯部を首に掛けるものであるから、取扱いが容易であり、またコップを変形することなく確実に保持することができるので、スタジアム等において、両手を使い安心して応援することができる。
【００１９】
本発明は、全体を軟質素材の打ち抜きにより形成するため、安価に作製することができ、また振り回しても危険性が無いので、スタジアムのような人混みの場所での使用に最適である。
【００２０】
請求項１の発明は、コップ保持部がリング状のため、この保持部へのコップの挿入が容易であり、また多数枚を積み重ねた状態でコップを挿入することにより、顧客に飲料水等を速やかに手渡すことができる。
【００２１】
請求項２の発明は、帯部の長手方向のスリットにより、帯部の中間部にコップ保持部を形成したから、軟質部材から打ち抜いて製作する場合の歩留りが極めて良好であり、一層安価に製作することができる。
【図面の簡単な説明】
【図１】本発明に係る紙コップ等の吊下げ具の実施の形態を示す一部切欠き斜視図である。
【図２】同上吊下げ具における帯部の連結手段を示す平面図である。
【図３】同上吊下げ具における帯部の別の連結手段を示す平面図である。
【図４】本発明に係る吊下げ具の別の実施の形態を示す一部切欠き斜視図である．
【符号の説明】
１　　　　帯　部
２　　　　コップ保持部
３　　　　連結部
４　　　　連結部
５　　　　コップ
６　　　　鍔　部
７　　　　蓋
８　　　　紐
【図１】
2004026247.tif 000003
【図２】
2004026247.tif 000004
【図３】
2004026247.tif 000005
【図４】
2004026247.tif 000006